(57)【要約】      （修正有）【課題】強度上問題のない組立て架台を利用して、大面積かつ形状的に自由度の高い一枚棚を創出し、中二階を設置した場合と同等のスペースの利用を可能とする。【解決手段】設置するメザニン式ラック５の平面形状に応じて５種類のメザニン式ラック組立用門型架台を複数個マトリクス状に配置し、門型架台の上部の水平部に直接棚材を敷き詰めるだけでメザニン式ラック５の組立てを可能としたものであり、その棚面６ａの周囲には商品落下防止柵６ｂの設置用の支柱３ｂが配設され、フロアレベルには門型の内部を貫通する広い通路スペースＳが形成される。【選択図】図１
2014094818.tif 000002
【特許請求の範囲】
【請求項１】
２本の支柱の上端部を連結して門型架台を構成するビームであって、
前記ビームは長手方向に伸びる水平部と、該水平部の両端に前記水平部と連続して垂直に設けられた前記支柱との係合部を備え、
前記ビームの前記係合部の上端は、前記ビームの前記水平部の上端と同一面上にあり、
前記ビームは、前記支柱との連結時において前記係合部の上端と前記支柱の上端とが同一高さである、
ことを特徴とするビーム。
【請求項２】
２本の前記支柱の上端部が前記ビームによって連結された第１の門型と、
該第１の門型と同一の構成を有し、前記第１の門型と所定の間隔を空けて平行に設置された第２の門型と、を備え、
前記第１の門型と前記第２の門型の対向する２組の前記支柱同士がトラスにて連結されて構成される第１の門型架台と、
前記第１の門型架台の前記トラスにて連結される２組の前記支柱の内、１組の前記支柱のみが長尺であり、該２本の長尺支柱の上端は前記ビームとの連結位置よりも所定寸法だけ高い位置に配置される、第２の門型架台と、
前記第２の門型架台の他の１組の前記支柱の内、１本の前記支柱が長尺であり、合計３本の長尺支柱の上端は前記ビームとの連結位置よりも前記所定寸法だけ高い位置に配置される、第３の門型架台と、
前記第１の門型架台の前記第１の門型を構成する２本の前記支柱が長尺であり、該２本の長尺支柱の上端は前記ビームとの連結位置よりも前記所定寸法だけ高い位置に配置される、第４の門型架台と、
前記第２の門型架台の他の１組の前記支柱の内、他の１本の前記支柱が長尺であり、合計３本の長尺支柱の上端は前記ビームとの連結位置よりも前記所定寸法だけ高い位置に配置される、第５の門型架台と、
からなる５種類の門型架台により構成されるメザニン式ラック組立用門型架台。
【請求項３】
前記メザニン式ラック組立用門型架台により組立てられる、メザニン式ラックであって、組立て後の態様において、前記第１の門型架台が中央部に配置され、前記第１の門型架台の周囲に第２ないし第５の門型架台が前記ビームを平行にしてマトリクス状に配置され、前記各門型架台の前記ビームの上部に敷き詰められた棚材により棚面が構成され、該棚面の周囲に配設される前記長尺支柱の上端に前記ビームが連結されて商品落下防止柵が構成されることを特徴とする、メザニン式ラック。
【請求項４】
前記商品落下防止柵の一部に設置される商品の搬入及び搬出口に配設される回転式開閉扉であって、回転軸を有する支点部と、該支点部に固定された第１及び第２の扉と、前記支点部を支えるサポート部と、を備え、前記第１の扉と第２の扉とは、前記回転軸に垂直な断面上で所定の角θを形成して配設され、前記第１の扉が前記棚面に垂直となる第１の状態から前記第２の扉が前記棚面に垂直となる第２の状態まで、前記回転軸の周りに前記角θを手動にて回転可能に構成される回転式開閉扉を具備することを特徴とする、請求項３に記載のメザニン式ラック。
【発明の詳細な説明】
【技術分野】
【０００１】
本発明は、メザニン式ラック及びメザニン式ラック組立用門型架台に関する。
【背景技術】
【０００２】
近年、各種倉庫等においては収納スペースの確保のために、メザニン（中二階）を設置して棚等の上部空間を有効利用することが行われている。メザニンを建築基準に従って設置する場合、柱、床等は建築基準法等に定められた強度及び安全基準を具備する必要があり、一定の制約が課される。
【０００３】
メザニン（中二階）を設置する場合、従来以下の２つの方式により行われていた。
一つは部屋に柱を格子状に設置して柱の上部に梁部材を渡して、梁部材の上に床材を敷き詰めてメザニンの床面を形成するという通常の建築方式である。
【０００４】
もう一つは複数の高さを揃えた組立棚をマトリクス状に配置し、各組立棚を棚として使用しつつ、その上端部にＨ形鋼等の強度部材を水平に渡し、その強度部材の上に床材を敷き詰めてメザニンの床面を形成するという方式である。（特許文献１参照）
【先行技術文献】
【特許文献】
【０００５】
【特許文献１】特許２８８５７９１号公報
【発明の概要】
【発明が解決しようとする課題】
【０００６】
前者の方式は通常の建築工事であるため建築基準法等の安全基準を満たす必要があり、設置工事は大掛かりなものとなり、費用、期間ともにかかるため簡易に行うことはできなかった。後者の方式では比較的簡易に設置できるものの、各組立棚を本来の棚として使用することが前提であり、棚となる面は他の用途、例えば通路に使用することはできず、フロアのスペースの使用に関して自由度が低いという問題があった。また、強度上の問題からメザニンの規模や床面の形状を自由に選択することが困難であると同時に、後者の方式が建築物とみなされた場合は、現在の建築基準法等の安全基準を満足させることが困難になることもあった。
【０００７】
本発明は、上記の問題点を抱える「建築物の中二階を作る」という発想そのものを一旦捨て、強度上問題のない組立て用門型架台を利用して、自由な形状のラックスペース（大面積の一枚棚）を創出することにより、運用上は中二階を設置した場合と同等レベルのスペースの利用を可能とすることを課題とする。
【課題を解決するための手段】
【０００８】
上記課題を解決するために、本発明は上記従来の方式とは発想を異にして、上部空間を有効利用するための上記ラックスペース（以降「メザニン式ラック」と記す）の組立て専用の数種類の門型架台を使用するものであり、設置するメザニン式ラックの平面形状に応じて上記メザニン式ラック組立用門型架台（以降、「門型架台」と記す）を複数個マトリクス状に配置し、門型架台の上部の水平部に直接棚材を敷き詰めるだけでメザニン式ラックの組立てを可能としたものである。
【０００９】
上記門型架台には、それを構成する長短の支柱の配置により５種類の形状があり、この５種類の門型架台をメザニン式ラックの棚面形状の必要に応じて選択、配置し、これらと棚材、ビーム及びトラスを組立てるだけで、大面積の一枚棚であるメザニン式ラックが形成され、その棚面の周囲には商品落下防止柵の設置用の支柱が配設される。フロアレベルには門型架台が設置されるのみであるので、門型の内部を貫通する広い通路スペースが形成される。
【図面の簡単な説明】
【００１０】
【図１】本発明の門型架台によるメザニン式ラックの一実施形態を示す組立斜視図である。
【図２】（ａ）、（ｂ）は各々本発明の門型架台によるメザニン式ラックの他の実施形態を示す組立斜視図である。
【図３】（ａ）は本発明の門型架台をマトリクス状に配置した斜視図であり、（ｂ）は門型架台を長手方向に連結した配置を示す斜視図である。
【図４】本発明の門型架台をブロックで示した模式図である。
【図５】（ａ）〜（ｅ）は各々本発明の第１〜第５の門型架台を示す斜視図である。
【図６】（ａ）は本発明のビームの一実施形態を示す斜視図であり、（ｂ）は同ビームを支柱に組み付けた本発明の第１の門型架台の一実施形態を示す斜視図である。
【図７】（ａ）は本発明の門型架台及び門型架台組立用アセンブリをマトリクス状に配置した斜視図であり、（ｂ）は門型架台及び門型架台組立用アセンブリの種類を示す斜視図である。
【図８】（ａ）は従来の重量ラックのビームを示す斜視図であり、（ｂ）は同ビームを支柱に組み付けた従来の重量ラックの一実施形態を示す斜視図である。
【図９】（ａ）はメザニン式ラック組立用棚材の斜視図であり、（ｂ）は同棚材と本発明の門型架台によるメザニン式ラックの組立状態を示す斜視図である。
【図１０】本発明の回転式開閉扉の一実施形態を示す組立図であり、（ａ）はメザニン式ラック上への商品搬入時の回転式開閉扉の状態を示し、（ｂ）はメザニン式ラック内配置位置への商品移動作業時の回転式開閉扉の状態を示す。
【図１１】（ａ）はメザニン式ラック上への商品搬入時の回転式開閉扉の状態を示し、（ｂ）は開閉作業時の回転式開閉扉の状態を示し、（ｃ）はメザニン式ラック内配置位置への商品移動作業時の回転式開閉扉の状態を示す。
【図１２】本発明の回転式開閉扉の他の実施形態における回転式開閉扉の状態を示す図であり、（ａ）はメザニン式ラック上への商品搬入時の回転式開閉扉の状態を示し、（ｂ）は開閉作業時の回転式開閉扉の状態を示し、（ｃ）はメザニン式ラック内配置位置への商品移動作業時の回転式開閉扉の状態を示す。
【図１３】従来のメザニンの出入り口の形態を示す斜視図であり、（ａ）は引戸形式の扉を示し、（ｂ）はチェーン掛け外し式の出入り口を示す。
【発明を実施するための形態】
【００１１】
まず、本発明の基本的な考え方について図４の模式図で説明する。
各ブロックは本発明の門型架台を示す模式図である。各ブロックの上面は門型架台のビームの設置面を示している。各ブロックの側面の横長の矩形面は、実際の門型架台では内部が貫通しているが模式図では省略されている。また、各ブロックの側面の内、上部に延長された１面または２面の側面は商品落下防止柵の支柱の配置を示している。
【００１２】
各ブロックの形状は商品落下防止柵を示す側面の配置によりブロック１０ａ〜１０ｅの５種類ある。図４のように各ブロックをマトリクス状に配置し、組み立ての際は互いの間隔を詰めて中央に集結させる。すると、各ブロックの上面が１つの大きな矩形面を形成し、その周囲に壁状に側面が形成される。大きな矩形面はマトリクス状に配置された門型架台のビームの設置面に棚材を敷き詰めて形成されるメザニン式ラックの棚面を示し、周囲の壁状の側面は門型架台上部の商品落下防止柵設置用の支柱の配置を示す。
【００１３】
本発明のメザニン式ラックは図４に示す各ブロック１０ａ〜１０ｅと同様に、５種類の形状の門型架台をマトリクス状に配置し、各門型架台のビーム上に棚材を敷き詰めるだけでメザニン式ラックの棚面が形成される。しかもその際、同時にメザニン式ラックの棚面の周囲に商品落下防止柵設置用の支柱が配置されるため、各支柱間にビームを連結するだけで容易に商品落下防止柵を設置することができる。
また上記のように、模式図の各ブロックの側面の横長の矩形面は、実際の門型架台では内部が貫通しているので自由に通り抜けられる通路及び１段目の棚として利用できる。
【００１４】
以下に本発明の実施形態について、図面を用いて説明する。
本実施形態では、上記の門型架台を従来の重量ラックの支柱と、新たに作成した本発明のビームとを組み立てることにより作製する。これにより、簡易に門型架台を作製することができる。なお、本発明は本実施形態に限定されるものではなく、従来の重量ラックの部品を用いずに、門型架台を新たに作成して使用することは一向に差支えない。
【００１５】
まず、本発明の門型架台を構成するビームの構成について図６（ａ）で説明する。
ビーム２は２本の支柱３ａの上端部を連結して門型架台１ａを構成しており、長手方向に伸びる水平部２ａと、水平部２ａの両端に水平部２ａと連続して垂直に設けられた支柱３ａとの係合部２ｂを備えている。ビーム２の係合部２ｂの上端は、ビーム２の水平部２ａの上端面２ｃと段差のない同一面上にある。ビーム２は、支柱３ａと組立てられた際、上端面２ｃおよび係合部２ｂの上端と、支柱３ａの上端３ｃとが全て段差のない同一高さとなる。係合部２ｂには支柱３ａとの係合用の突起２ｄが設けられている。
【００１６】
ここで、従来の重力ラック１’に用いられていたビーム２’について図８で説明する。ビーム２’は係合部２ｂ’に設けられた係合突起２ｄ’と、対応する支柱３’の所定位置の穴３ｄ’とを係合させて支柱３’に水平に固定され、その上面又は側面に棚材あるいは棚材の支持部材を載置するためのものである。
【００１７】
本発明のビーム２は上記従来のビーム２’と同様の機能を有するだけでなく、図６（ａ）、（ｂ）、図５（ａ）〜（ｅ）に示すように、ビーム２それ自体の上面の水平部２ｃと係合部２ｂの上端部分に上下方向の段差がないことを特徴としている。さらに水平部２ｃ及び係合部２ｂの上端面は、ビーム２を支柱３ａの上部に取り付けた状態で支柱３ａの上端部３ｃとの段差も生じない構成となっている。このため、図５（ａ）〜（ｅ）に示すように支柱３ａの上端部３ｃの高さに各ビーム２を取り付けて図１、図２（ａ）、（ｂ）のように各門型架台１ａ〜１ｅを配置した場合、各ビーム２の上面のレベルには段差がないため、図９（ｂ）に示すように棚材６をそのまま各ビーム２に取り付けることができ、容易にメザニン式ラック５の棚面を構成することができる。
【００１８】
次に、本発明の門型架台の構成について説明する。
門型架台１ａは、図６（ｂ）に示すように、４本の支柱３ａと、支柱３ａ間の長手方向を連結するビーム２と、支柱３ａ間の幅方向を連結するトラス４により構成される。支柱３ａには長手方向の面にビーム２の係合用の突起２ｄに対応する穴３ｄが等間隔で２列明けられている。なお、門型架台同士の組立に使用する門型架台の組立用アセンブリ１ａ’については後述する。
【００１９】
本発明の門型架台には、図５（ａ）〜（ｅ）に示すように第１の門型架台１ａから第５の門型架台１ｅまで５種類の形態がある。いずれの門型架台においても同一形態のビーム２が用いられており、それらの設置高さは同一である。そして上記のように、支柱３ａに組立てられたビーム２の水平部２ａの上端面２ｃは支柱３ａの上端面３ｃと段差のない同一高さとなっている。各門型架台１ａ〜１ｅは支柱３ａ、３ｂ及びトラス４の設置位置において異なっているのみである。
【００２０】
第１の門型架台１ａから第５の門型架台１ｅまでの５種類の門型架台の構成について説明する。
【００２１】
図５（ａ）の第１の門型架台１ａは、２本の長さａの支柱３ａの高さａの上端部がビーム２によって連結された第１の門型と、第１の門型と同一の構成を有し、第１の門型と所定の間隔を空けて平行に設置された第２の門型とを備え、第１の門型と第２の門型の対向する２組の支柱３ａ同士がトラス４にて連結されており、トラス４は支柱３ａの最上部高さａの部分まで取り付けられている。
【００２２】
図５（ｂ）の第２の門型架台１ｂは、トラス４にて連結される２組の支柱の内、１組の支柱３ｂが長さｂとなっており、他の１組の長さａの支柱３ａと異なりｈだけ長くなっており、支柱３ｂの上端はビーム２との連結位置よりもｈだけ高い位置に配置される。
支柱３ｂにおいてもビーム２との係合用の穴３ｄの寸法、間隔は支柱３ａと同一であり、支柱３ａと支柱３ｂとは長さのみが異なる構成である。第２の門型架台１ｂでは２本の支柱３ａと２本の支柱３ｂの高さａの位置にビーム２が設置されており、トラス４は支柱３ａ同士の１組では最上部高さａの部分まで、支柱３ｂ同士の１組では最上部高さｂの部分まで取り付けられている。
【００２３】
図５（ｃ）の第３の門型架台１ｃは、第２の門型架台１ｂと比べての他の１組の支柱の内、１本の支柱３ｂが長尺であり、４本の支柱の内、３本の支柱３ｂが長さｂとなっており、他の１本の長さａの支柱３ａに較べてｈだけ長くなっている。第３の門型架台１ｃでは長尺支柱３ｂの上端はビーム２との連結位置よりもｈだけ高い位置に配置され、トラス４は支柱３ｂ同士の１組では最上部高さｂの部分まで、支柱３ａと支柱３ｂの１組では高さａの部分まで取り付けられている。
【００２４】
図５（ｄ）の第４の門型架台１ｄは、第１の門型架台１ａと比べて第１の門型を構成する２本の支柱３ｂが長尺であり、４本の支柱の内、長手方向の１組の支柱３ｂが長さｂとなっており、他の１組の長さａの支柱３ａに較べてｈだけ長くなっている。第４の門型架台１ｄでは２本の長尺支柱３ｂの上端はビーム２との連結位置よりもｈだけ高い位置に配置され、トラス４は２組の支柱３ａと支柱３ｂの間に高さａの部分まで取り付けられている。
【００２５】
図５（ｅ）の第５の門型架台１ｅは、第２の門型架台１ｂと比べて他の１組の支柱の内、他の１本の支柱３ｂが長尺であり、４本の支柱の内、３本の支柱長３ｂが長さｂとなっており、他の１本の長さａの支柱３ａに較べてｈだけ長くなっている。第５の門型架台１ｅでは長尺支柱３ｂの上端はビーム２との連結位置よりもｈだけ高い位置に配置され、トラス４は支柱３ｂ同士の１組では最上部高さｂの部分まで、支柱３ａと支柱３ｂの１組では高さａの部分まで取り付けられている。なお、第５の門型架台１ｅは第３の門型架台１ｃとは鏡面対象の関係にあるため、回転させても同一形状とはならないので相互に代用することはできない。
【００２６】
上記各門型架台は図５（ａ）〜（ｅ）に示す第１〜第５の門型架台の５種類のみであり、これら５種類の門型架台を組み合わせて配置し、各門型架台の各ビームに後述する棚材を敷き詰めるだけで、様々のニーズに合わせた平面形状のメザニン式ラックが周囲の商品落下防止柵６ｂ設置用の支柱付きで作成、設置できる。
【００２７】
次に、上記５種類の門型架台を用いて組立てられたメザニン式ラックの構成について説明する。
メザニン式ラックの全体図を図１、図２（ａ）、（ｂ）に示す。これらのメザニン式ラック５はすべて基本的に上記５種類の門型架台１ａ〜１ｅ、棚材６、回転式開閉扉７及び移動式階段９から構成される。
【００２８】
図３（ａ）は図１のメザニン式ラック５における門型架台の配置を示している。すなわち、組立て後の態様において、第１の門型架台１ａが中央部に配置され、その周囲に第２〜第５の門型架台１ｂ〜１ｅがビーム２を平行にしてマトリクス状に配置され、本実施例では門型架台１ｂ〜１ｅの順番に各々２個が配置される。その際、メザニン式ラック５の周囲の商品落下防止柵６ｂを構成する支柱３ｂの部分はすべてメザニン式ラックの外周側に向くように配置される。各門型架台１ａ〜１ｅのビーム２の上部に敷き詰められた棚材６により棚面６ａが構成され、棚面６ａの周囲に配設される支柱３ｂの上端にビーム２が連結されて商品落下防止柵６ｂが構成される。ただし、図３（ａ）では個々の門型架台の形状を明確に示すために各門型架台は図１と異なり長手方向に間隔を空けた配置としている。なお実際には、図１のように長手方向には支柱３の両側にビーム２を組み立てることが可能であるため、図３（ａ）のように門型架台の長手方向に間隔を空けて構成することはなく、図３（ｂ）のように長手方向に間隔を詰めて構成する。この際、中間に設置される支柱３は両側の門型架台によって共有される。
【００２９】
ここで、メザニン式ラック５の実際の組立について説明する。
上記のように５種類の門型架台１ａ〜１ｅによってメザニン式ラック５は組立てられる。しかしながら、これは組立てられたメザニン式ラック５の各門型架台（支柱３ａまたは支柱３ｂの４本の支柱及び２本のビーム２のまとまり）に着目すると、いずれの部分の門型架台も上記５種類の門型架台１ａ〜１ｅのどれか１つに該当している、というメザニン式ラック５の組立後の態様についての構成の特徴を表現したものである。メザニン式ラック５の実際の組立の際は、上記５種類の門型架台１ａ〜１ｅをすべてそのままの支柱４本の構成で使用する必要はない。なぜなら、各支柱３ａまたは３ｂにはビーム２との係合用の穴３ｄが縦に２列明いており、１本の支柱３ａまたは３ｂの左右両側にビーム２を取り付けることができるため、連結される門型架台の連結部分では２本の支柱３ａまたは３ｂを共有することができるからである。
【００３０】
これにより、図７（ａ）に示すような１２個の門型架台を使用してメザニン式ラック５を実際に組立てる場合、中間に配置した門型架台１ａ１個と、門型架台１ｄ２個の３個の門型架台の他は、支柱２本からなる門型架台の組立用アセンブリ１ａ’、１ｂ’、１ｄＬおよび１ｄＲを組立てることになる。門型架台の連結部の支柱は共有される態様となる。図７（ａ）の場合は、使用される門型架台及び同組立用アセンブリは、図７（ｂ）に示すように門型架台２種類、組立用アセンブリ４種類ということになる。組立用アセンブリとしては上記４種以外の構成も考えられるが、基本的に図７（ｂ）に示す門型架台２種類、組立用アセンブリ４種類の６種類のみで矩形形状の棚面のメザニン式ラック５の組立は対応可能である。
【００３１】
図９（ａ）に示す棚材６は図９（ｂ）に示すように組み立てられて、上記のように配置された９個の門型架台のビーム２上に敷き詰められ、両端部をビーム２に固定されメザニン式ラック５の棚面を構成する。
【００３２】
メザニン式ラック５にはさらに、図１に示すように周囲の棚面６ａからの高さｈの部分の支柱３ｂの上下３か所にビーム２が連結され、商品落下防止柵６ｂを構成している。メザニン式ラック５の周囲の部分に配置される門型架台１ｂ〜１ｅの長手方向についてはビーム２がそのまま商品落下防止柵６ｂとして用いられる。また、門型架台１ｂ〜１ｅの幅方向については門型架台同士の設置間隔部、すなわちトラス４設置部分の間の部分には図１、図２（ａ）、（ｂ）に示す短尺ビーム２ｅが商品落下防止柵６ｂとして用いられる。
【００３３】
図１に示すように、商品落下防止柵６ｂには一部切欠きが設けられており、商品搬入・搬出口８ａ及び作業者出入り口８ｂとなっている。商品搬入・搬出口８ａ部の棚面６ａには回転式開閉扉７が設置されている。また、作業者出入り口８ｂ部には移動式階段９が設置されている。
【００３４】
次に、メザニン式ラック５の機能、効果について説明する。
メザニン式ラック５は５種類の門型架台１ａ〜１ｅを組み合わせて配置し、上記のように組み立てるだけで、図１のような形状のメザニン式ラック５だけでなく、図２（ａ）に示す形状のメザニン式ラック５’や、図２（ｂ）に示す形状のメザニン式ラック５’’も同様の作成方式で簡易に作製することができる大面積かつ形状的に自由度の高い一枚棚である。
【００３５】
５種類の門型架台１ａ〜１ｅを配置し、棚材６と組立てた段階で、商品落下防止柵６ｂ設置用の支柱３ｂがメザニン式ラック５の棚面６ａの周囲に配設されるため、支柱３ｂ間にビーム２及び短尺ビーム３ｅを取り付けることで容易に商品落下防止柵６ｂを設置することができる。
【００３６】
また、メザニン式ラック５には各門型架台の支柱３ａの上端部にビーム２を取り付けたのみであって、支柱３ａ及び支柱３ｂのビーム２を取付けた部分より下部の、通常の重量ラック用の棚材を設置する部分にはビーム２は取り付けられていない。本発明のメザニン式ラック５は、自由に形状を選択できる大面積の１枚棚を上部空間に設置することを目的としたものである。したがって、本発明のメザニン式ラック５ではこの図１に示すＳ部は基本的に通路として使用されるスペースとなっている。
【００３７】
このスペースＳは、必要に応じて別の独立した棚を上記通路に沿って設置する等の有効利用が可能である。このことは、組立棚を利用して構成された従来のメザニン（中二階）において、メザニン下部の組立棚が棚材を設置し使用することが前提であるため通路としての使用ができない構成に限られていたことと比較すると、本発明のメザニン式ラック５では通路スペースＳの存在により、１段目の棚と位置づけられるフロアレベルの使用方法の自由度が格段に増大しているといえる。
【００３８】
次に、上記メザニン式ラック５に設置される回転式開閉扉７の構成について説明する。
メザニン式ラック５の棚面８への商品の搬入・搬出口８ａには図１、図２（ａ）、（ｂ）にその一実施例を示す回転式開閉扉７が設置されている。
図１０〜図１２でその構成について説明する。
【００３９】
回転式開閉扉７は支点ブロック７ｆ、外扉７ｃ、内扉７ｄ及びサポート部７ｅにより構成されている。図１０は回転式開閉扉７を横から見た図であって、（ａ）はメザニン式ラック上への商品搬入時の回転式開閉扉７の状態を示し、（ｂ）はメザニン式ラック内配置位置への商品移動作業時の回転式開閉扉７の状態を示す。
【００４０】
支点ブロック７ｆは支点軸Ｐを含み、支点軸Ｐの周りに回動可能に構成されている。支点軸Ｐはサポート部７ｅにより支持されている。支点ブロック７ｆの第一部材７ａと第二部材７ｂとは図１０（ａ）、（ｂ）に示すようにθの角度をもって組み立てられており、第一部材７ａと外扉７ｃとのなす角αは９０°、第二部材７ｂと内扉７ｅとのなす角βも９０°が回転式開閉扉７の強度上望ましい。
【００４１】
次に、回転式開閉扉７の機能及び効果について説明する。
メザニン式ラック５は大きな棚として利用されるため、商品の搬入・搬出口８ａ及び作業者の出入り口８ｂが設置されている。従来は図１３（ａ）、（ｂ）に示すように、商品の搬入・搬出口として引き戸式の扉、あるいは単にチェーン等を掛け外す形式の出入り口が使用されていた。
【００４２】
本回転式開閉扉７は図１１（ａ）、（ｂ）、（ｃ）に示すように、（ａ）の商品のメザニン式ラックへの受け取り時は内扉７ｄが閉まった状態となり、（ｃ）の商品のメザニン式ラック収納部への移動作業時は外扉７ｃが閉まった状態となり、いずれの時点でも開口部である商品搬入・搬出口の直近の扉あるいはそこに通じる扉が閉まった状態となる。また、（ｂ）の回転式開閉扉７の開閉時には作業者は内扉７ｄの内側に位置している。これにより、商品の搬入・搬出作業中も常に商品の落下防止及び作業者の安全が確保される。これは図１３に示すような従来の扉の形式では実現できなかったことである。また、回転式開閉扉７の他の実施形態として図１２（ａ）、（ｂ）、（ｃ）に示すように、横開き式でかつ両開き式とする構成も可能である。
【００４３】
回転式開閉扉７の支点ブロック７ｆの角θは、４５°≦θ≦１３５°の範囲であれば、メザニン式ラックの設置場所の天井高さやメザニン式ラックの収納スペースの様々な条件に対して対応することが可能となる。開閉時の外扉７ｃ、内扉７ｄの軌跡の範囲が調整できるからである。
【符号の説明】
【００４４】
１ａ  第１の門型架台
１ｂ  第２の門型架台
１ｃ  第３の門型架台
１ｄ  第４の門型架台
１ｅ  第５の門型架台
１ａ’  組立用アセンブリ
１ｂ’  組立用アセンブリ
１ｄＲ  組立用アセンブリ
１ｄＬ  組立用アセンブリ
１’  重力ラック
２、２’  ビーム
２ａ  水平部
２ｂ、２ｂ’  係合部
２ｃ  上端面
２ｄ、２ｄ’  突起
２ｅ  短尺ビーム
３、３ａ、  ３’支柱
３ｂ  支柱（長尺）
３ｃ  上端面
３ｄ、３ｄ’  穴
４  トラス
５，５’、５’’  メザニン式ラック
６  棚材
６ａ  棚面
６ｂ  商品落下防止柵
７  回転式開閉扉
７ａ  第１部材
７ｂ  第２部材
７ｃ  外扉
７ｄ  内扉
７ｅ  サポート部
７ｆ  支点ブロック
８ａ  商品搬出・搬入口
８ｂ  作業者出入り口
９  移動式階段
１０ａ  第１のブロック
１０ｂ  第２のブロック
１０ｃ  第３のブロック
１０ｄ  第４のブロック  
１０ｅ  第５のブロック
Ｓ  通路スペース
【図１】
2014094818.tif 000003
【図２】
2014094818.tif 000004
【図３】
2014094818.tif 000005
【図４】
2014094818.tif 000006
【図５】
2014094818.tif 000007
【図６】
2014094818.tif 000008
【図７】
2014094818.tif 000009
【図８】
2014094818.tif 000010
【図９】
2014094818.tif 000011
【図１０】
2014094818.tif 000012
【図１１】
2014094818.tif 000013
【図１２】
2014094818.tif 000014
【図１３】
2014094818.tif 000015